(57)【要約】【課題】マルチメディア処理装置でマルチメディアデータを共有する方法及び装置を提供する。【解決手段】方法は、遠隔マルチメディア装置に対応するアドレスを生成する段階と、上記アドレスに基づいて通知メッセージを出力し、当該アドレスを受信するように上記遠隔マルチメディア装置に通知する段階とを含む。【選択図】図２
2009157895.tif 000002
【特許請求の範囲】
【請求項１】
マルチメディア処理装置においてマルチメディアデータを共有する方法であって、
遠隔マルチメディア装置に対応するアドレスを生成する段階と、
上記アドレスに基づいて通知メッセージを出力し、当該アドレスを受信するように上記遠隔マルチメディア装置に通知する段階とを含むことを特徴とするマルチメディアデータの共有方法。
【請求項２】
前記アドレスは前記遠隔マルチメディア装置に用いられるように指定されていることを特徴とする請求項１記載のマルチメディアデータの共有方法。
【請求項３】
前記通知メッセージはＲＳＳ（ｒｅａｌｌｙ  ｓｉｍｐｌｅ  ｓｙｎｄｉｃａｔｉｏｎ）形式のものであることを特徴とする請求項１記載のマルチメディアデータの共有方法。
【請求項４】
マルチメディア装置においてマルチメディアデータを読み出す方法であって、
通知メッセージの内容に基づいてアドレスを受信する段階と、
上記アドレスのリンク状態を制御する段階と、
上記アドレスの読み出し状態を保存する段階とを含むことを特徴とするマルチメディアデータの読み出し方法。
【請求項５】
前記アドレスは前記マルチメディア装置に用いられ、複数のマルチメディアデータのアドレスを読み出すことを可能にするように指定されていることを特徴とする請求項４記載のマルチメディアデータの読み出し方法。
【請求項６】
前記アドレスのリンク状態を制御する段階は、前記アドレスにリンクするようにマルチメディア装置を制御し、当該アドレスに対応する複数のマルチメディアデータをロードすることを内容とすることを特徴とする請求項４記載のマルチメディアデータの読み出し方法。
【請求項７】
前記アドレスの読み出し状態を保存する段階は、前記アドレスに対応する複数のマルチメディアデータをマルチメディア装置でロードした後に、読み出し状態を読出し済みにして保存することを特徴とする請求項６記載のマルチメディアデータの読み出し方法。
【請求項８】
前記アドレスのリンク状態を制御する段階は、前記アドレスにリンクせずに他通知メッセージを受信するようにマルチメディア装置を制御することを内容とすることを特徴とする請求項４記載のマルチメディアデータの読み出し方法。
【請求項９】
前記アドレスの読み出し状態を保存する段階は、マルチメディア装置で前記他通知メッセージを受信する前に、読み出し状態を未読出しにして保存することを特徴とする請求項８記載のマルチメディアデータの読み出し方法。
【請求項１０】
第一マルチメディア処理装置を含んだマルチメディアデータを共有するシステムであって、該第一マルチメディア処理装置は、
第二マルチメディア処理装置に対応するアドレスを生成するアドレス生成ユニットと、
アドレス生成ユニットに結合され、アドレスと通知メッセージを出力する出力ユニットとを含み、該第一マルチメディア処理装置は上記アドレスに基づいて通知メッセージを出力し、第二マルチメディア処理装置に用いられるように指定された当該アドレスを受信するように第二マルチメディア処理装置に通知することを特徴とするマルチメディアデータの共有システム。
【請求項１１】
前記第二マルチメディア処理装置は、
前記通知メッセージに基づいて前記アドレスを受信する受信ユニットと、
前記受信ユニットに結合され、前記アドレスのリンク状態を制御する制御ユニットと、
前記制御ユニットに結合され、前記アドレスの読み出し状態を保存する保存ユニットとを含むことを特徴とする請求項１０記載のマルチメディアデータの共有システム。
【請求項１２】
前記通知メッセージはＲＳＳ形式のものであることを特徴とする請求項１１記載のマルチメディアデータの共有システム。
【請求項１３】
前記アドレスは複数のマルチメディアデータを読み出すために用いられることを特徴とする請求項１１記載のマルチメディアデータの共有システム。
【請求項１４】
前記制御ユニットは、前記アドレスにリンクし、当該アドレスに対応する複数のマルチメディアデータをロードするように第二マルチメディア処理装置を制御することを特徴とする請求項１３記載のマルチメディアデータの共有システム。
【請求項１５】
前記保存ユニットは、第二マルチメディア処理装置で前記アドレスに対応する複数のマルチメディアデータをロードした後に、前記読み出し状態を読出し済みにして保存することを特徴とする請求項１４記載のマルチメディアデータの共有システム。
【請求項１６】
前記通知メッセージはＲＳＳ形式のものであることを特徴とする請求項１５記載のマルチメディアデータの共有システム。
【請求項１７】
前記制御ユニットは、前記アドレスにリンクせずに他の通知メッセージを受信するように第二マルチメディア処理装置を制御することを特徴とする請求項１３記載のマルチメディアデータの共有システム。
【請求項１８】
前記保存ユニットは、第二マルチメディア処理装置で前記他通知メッセージを受信する前に、前記読み出し状態を未読出しにして保存することを特徴とする請求項１６記載のマルチメディアデータの共有システム。
【請求項１９】
前記通知メッセージはＲＳＳ形式のものであることを特徴とする請求項１７記載のマルチメディアデータの共有システム。
【請求項２０】
前記第二マルチメディア処理装置はデジタルフォトフレームであることを特徴とする請求項１２記載のマルチメディアデータの共有システム。
【発明の詳細な説明】
【技術分野】
【０００１】
本発明はマルチメディア処理装置に用いられる方法及び装置に関し、特にマルチメディア処理装置でマルチメディアデータを共有する方法及び装置に関する。
【背景技術】
【０００２】
電気技術の発展に伴い、テレビ、モニター、デジタルカメラ、携帯電話など民生用マルチメディア電気製品でデジタル映像を鑑賞することは普及している。従来の写真立てに取って代わるものとして、液晶パネルと写真立てを結合したデジタルフォトフレームも市場に出回り始めた。
【０００３】
デジタルフォトフレームではメモリカードに保存されたマルチメディアファイルを再生することができる。ＣＦやＳＤカードをデジタルフォトフレームのスロットに挿入してカード内の保存データを再生するか、またはデジタルフォトフレームをパソコンに接続してパソコン内のデータを再生することが、両方とも可能である。市販のデジタルフォトフレームの中にはＷｉＦｉなどの無線通信機能をサポートする製品もある。無線通信機能を通して、インターネット上のフォトアルバムのＲＳＳ（ｒｅａｌｌｙ  ｓｉｍｐｌｅ  ｓｙｎｄｉｃａｔｉｏｎ）フィードを取得し、デジタルフォトフレームで再生することが可能となる。ＲＳＳとは、ウェブページのコンテンツを実時間に表示できるＸＭＬ（拡張マークアップ言語）文書フォーマットであり、ＲＳＳフィードを取得すれば数多くの有益情報が手に入れられる。ＲＳＳに類似した技術としては他にＡＴＯＭがある。
【０００４】
図１を参照する。図１はデジタルフォトフレームに用いる従来の閲覧方法のフローチャートである。下記方法１０は、あるアドレスで共有されたマルチメディアデータを閲覧する際に用いられる。
【０００５】
ステップ１００：開始。
ステップ１０２：マルチメディアデータ共有サービスを選択する。
ステップ１０４：ユーザーＩＤ検証プロセスを実行する。
ステップ１０６：アドレスのＲＳＳリンクを取得する。
ステップ１０８：上記アドレスから共有されたマルチメディアデータを閲覧する。
ステップ１１０：終了。
【０００６】
上記方法１０を通して、特定のアドレスから共有されたマルチメディアデータをデジタルフォトフレームで閲覧することができる。このアドレスには一般にフォトアルバムが掲載されている。注意すべきは、アドレスで共有されたマルチメディアデータの内容が更新されても、共有者に通知を発信しないので、最新のマルチメディアデータを取得するためにはデジタルフォトフレームでアドレスのＲＳＳリンクに随時にアクセスしてチェックすることが必要である。また、現在のインターネットフォトアルバムサービスは不特定のユーザーに公開されるものが一般であって、特定のユーザーに限ってフォトアルバムの内容を共有することが難しい。
【０００７】
パソコン、ＰＤＡ、携帯電話などキーボード、マウス、タッチパネル等入力インターフェイスを有するマルチメディア処理装置では、電子メールやＭＭＳ（マルチメディアメッセージサービス）を通してマルチメディアデータを特定の対象と共有し、または他人の装置からマルチメディアデータを受信することが容易である。しかし、デジタルフォトフレームは機能上の制限により、入力インターフェイスで電子メールやＭＭＳを処理することができない。
【０００８】
したがって、従来のデジタルフォトフレームとインターネットフォトアルバムサービスはもはや消費者の需要を満たすことができない。マルチメディアデータの共有を容易にすることは、デジタルフォトフレームの開発上の課題である。
【発明の開示】
【発明が解決しようとする課題】
【０００９】
本発明は上記問題を解決するため、マルチメディア処理装置でマルチメディアデータを共有する方法及び装置を提供することを課題とする。
【課題を解決するための手段】
【００１０】
本発明はマルチメディア処理装置においてマルチメディアデータを共有する方法を提供する。該方法は、遠隔マルチメディア装置に対応するアドレスを生成する段階と、上記アドレスに基づいて通知メッセージを出力し、当該アドレスを受信するように上記遠隔マルチメディア装置に通知する段階とを含む。
【００１１】
本発明は更に、マルチメディア装置においてマルチメディアデータを読み出す方法を提供する。該方法は、通知メッセージの内容に基づいてアドレスを受信する段階と、上記アドレスのリンク状態を制御する段階と、上記アドレスの読み出し状態を保存する段階とを含む。
本発明は更に、第一マルチメディア処理装置を含んだマルチメディアデータを共有するシステムを提供する。該第一マルチメディア処理装置は、第二マルチメディア処理装置に対応するアドレスを生成するアドレス生成ユニットと、アドレス生成ユニットに結合され、アドレスと通知メッセージを出力する出力ユニットとを含む。該第一マルチメディア処理装置は上記アドレスに基づいて通知メッセージを出力し、第二マルチメディア処理装置に用いられるように指定された当該アドレスを受信するように第二マルチメディア処理装置に通知する。
【発明の効果】
【００１２】
本発明では、パソコンや携帯電話などのマルチメディア処理装置で特定の共有者と共有するマルチメディアデータを設定し、当該共有者の遠隔マルチメディア装置に通知メッセージを送信することができる。また、無線ＬＡＮ機能を有するデジタルフォトフレームなどの遠隔マルチメディア装置で、マルチメディア処理装置から送信された通知メッセージとアドレスを受信し、複数の通知メッセージを逐一閲覧し、対応するアドレスの受信を決めるとともに、各アドレスの読み出し状態を保存することもできる。したがって、本発明によるデジタルフォトフレームは入力インターフェースにより機能が制限されず、優れたマルチメディア処理機能を有する。
【発明を実施するための最良の形態】
【００１３】
かかる方法と装置の特徴を詳述するために、具体的な実施例を挙げ、図を参照にして以下に説明する。
【００１４】
図２を参照する。図２は本発明による第一の方法２０を表す説明図である。下記方法２０はマルチメディア処理装置でマルチメディアデータを遠隔マルチメディア装置と共有する場合に用いられる。
ステップ２００：開始。
ステップ２０２：遠隔マルチメディア装置に対応するアドレスを生成する。
ステップ２０４：上記アドレスに基づいて通知メッセージを出力する。
ステップ２０６：終了。
【００１５】
以上のとおり、マルチメディア処理装置は遠隔マルチメディア装置に対応するアドレスを生成し、それに基づいて通知メッセージを遠隔マルチメディア装置に出力し、当該アドレスを受信するように遠隔マルチメディア装置に通知する。望ましくは、マルチメディア処理装置はパソコンや携帯電話などインターネットフォトアルバムを利用・管理できる装置であって、遠隔マルチメディア装置は無線ＬＡＮ機能を有するデジタルフォトフレームである。アドレスはマルチメディアデータを共有する発信元であって、遠隔マルチメディア装置に用いられるように指定されている。詳しく言えば、マルチメディア処理装置のユーザーがインターネットフォトアルバムの共有者リスト（またはブラックリスト）を予め作成し、この共有者リストに基づいて遠隔マルチメディア装置に対応する共有ＩＤを生成してフォトアルバムのアドレスに保存した場合では、遠隔マルチメディア装置で当該アドレスを利用することができる。
【００１６】
デジタルフォトフレームには簡易な入力インターフェイスしか取り付けていないことに鑑みて、デジタルフォトフレームでも容易に閲覧するために、上記通知メッセージをＲＳＳ形式にしたほうが望ましい。もっとも本発明はこれに限らず、他形式の通知メッセージも利用可能である。簡単に言えば、マルチメディア処理装置のユーザーが特定の共有者とのみ共有するマルチメディアデータを予め設定し、共有者の遠隔マルチメディア装置に通知メッセージを送信した場合では、遠隔マルチメディア装置でマルチメディアデータを閲覧することができる。
【００１７】
上記方法２０を実現する装置として図３を参照する。図３は本発明による第一の電子装置３０を表す説明図である。マルチメディア処理装置に設けられた電子装置３０は、マルチメディアを共有する装置として、アドレス生成ユニット３００と出力ユニット３０２を含む。アドレス生成ユニット３００は遠隔マルチメディア装置に対応するアドレスを生成し、出力ユニット３０２はアドレスと通知メッセージを出力する。望ましくは、マルチメディア処理装置はパソコンや携帯電話などインターネットフォトアルバムを利用・管理できる装置であって、遠隔マルチメディア装置は無線ＬＡＮ機能を有するデジタルフォトフレームである。アドレスはマルチメディアデータを共有する発信元であって、遠隔マルチメディア装置に用いられるように設定されている。詳しく言えば、マルチメディア処理装置のユーザーが遠隔マルチメディア装置のユーザーを共有者として設定した場合、アドレス生成ユニット３００は当該遠隔マルチメディア装置にのみ対応する共有ＩＤを生成してアドレスに保存し、アドレスは当該遠隔マルチメディア装置に用いられるものとなる。電子装置３０を通して、マルチメディア処理装置のユーザーが特定の共有者とのみ共有するマルチメディアデータを予め設定し、共有者の遠隔マルチメディア装置に通知メッセージを送信した場合では、遠隔マルチメディア装置でマルチメディアデータを閲覧することができる。
【００１８】
上記方法２０を通して、マルチメディア処理装置でマルチメディアデータを遠隔マルチメディア装置と共有することができる。一方、遠隔マルチメディア装置（例えばデジタルフォトフレーム）でマルチメディア処理装置から出力された通知メッセージを受信した後の動作については、図４を参照する。図４は本発明による第二の方法４０を表す説明図である。下記方法４０は、マルチメディア装置でマルチメディアデータを読み出す場合に用いられる。
【００１９】
ステップ４００：開始。
ステップ４０２：通知メッセージの内容に基づいてアドレスを受信する。
ステップ４０４：上記アドレスのリンク状態を制御する。
ステップ４０６：上記アドレスの読み出し状態を保存する。
ステップ４０８：終了。
【００２０】
以上のとおり、マルチメディア処理装置から送信された通知メッセージを受信した後、マルチメディア装置は通知メッセージの内容に基づいてアドレスを受信し、そのアドレスのリンク状態を制御して読み出し状態を保存する。望ましくは、通知メッセージとアドレスはマルチメディア処理装置で前記方法２０に基づいてマルチメディア装置に送信されたものである。注意すべきは、マルチメディア装置で複数の通知メッセージを受信することが可能であり、マルチメディア装置のユーザーは方法４０で複数の通知メッセージを一つずつ閲覧し、それから受信希望のアドレスに対応するものを選び出す。詳しく言えば、受信希望のアドレスが決まった場合では、上記方法４０を通してマルチメディア装置を当該アドレスにリンクさせ、アドレスの読み出し状態を読出し済みにして保存する。それに対して、アドレスから受信しないとした場合では、上記方法４０を通してマルチメディア装置を当該アドレスにリンクしないようにさせたうえ、アドレスの読み出し状態を未読出しにして保存し、それから他の通知メッセージを受信する。また、他通知メッセージに対応するアドレスを受信するかどうかも、同様の方法で決められる。その後、未受信のアドレスをマルチメディア装置に保存し、それに対応する通知メッセージを複数の通知メッセージから削除する。
【００２１】
上記方法４０を実現する装置として、図５を参照する。図５は本発明による第二の電子装置５０を表す説明図である。電子装置５０はマルチメディア装置の中でマルチメディアデータを読み出す装置として、受信ユニット５００、制御ユニット５０２、及び保存ユニット５０４を含む。マルチメディア装置は無線ＬＡＮ機能を有するデジタルフォトフレームであり、受信ユニット５００は通知メッセージの内容に基づいてアドレスを受信し、制御ユニット５０２は受信ユニット５００に結合され、アドレスのリンク状態を制御し、保存ユニット５０４は制御ユニットに結合され、アドレスの読み出し状態を保存する。電子装置５０の動作については、上記方法４０を参照する。
【００２２】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２３】
本発明は従来の装置で機能を実現し、実施可能である。
【図面の簡単な説明】
【００２４】
【図１】デジタルフォトフレームに用いる従来の閲覧方法のフローチャートである。
【図２】本発明による第一の方法を表す説明図である。
【図３】本発明による第一の電子装置を表す説明図である。
【図４】本発明による第二の方法を表す説明図である。
【図５】本発明による第二の電子装置を表す説明図である。
【符号の説明】
【００２５】
３０、５０    電子装置
３００        アドレス生成ユニット
３０２        出力ユニット
５００        受信ユニット
５０２        制御ユニット
５０４        保存ユニット
【図１】
2009157895.tif 000003
【図２】
2009157895.tif 000004
【図３】
2009157895.tif 000005
【図４】
2009157895.tif 000006
【図５】
2009157895.tif 000007